(57)【要約】昇降路内を昇降するかご及びつり合おもりと、かご及びつり合おもりが掛けられるロープと、昇降路の頂部に設けられ、ロープが掛けられる返し車と、ロープの各端部が固定される固定部材と、つり合おもりに設けられ、ロープが掛けられ、かご及びつり合おもりを昇降させる駆動装置とを有し、ロープが鋼製ロープに摩擦係数の高い樹脂を被覆した樹脂被覆鋼製ロープであるものである。
2004080878.tif 000002
【特許請求の範囲】
【請求項１】
昇降路内を昇降するかご及びつり合おもりと、前記かご及びつり合おもりが掛けられるロープと、前記昇降路の頂部に設けられ、前記ロープが掛けられる返し車と、前記ロープの各端部が固定される固定部材と、前記つり合おもりに設けられ、前記ロープが掛けられ、前記かご及びつり合おもりを昇降させる駆動装置とを有し、
前記ロープが鋼製ロープに摩擦係数の高い樹脂を被覆した樹脂被覆鋼製ロープであることを特徴とするカウンタ自走式エレベータ。
【請求項２】
昇降路内を昇降するかご及びつり合おもりと、かご及びつり合おもりを懸架するロープと、昇降路頂部に設けられた返し車と、ロープ端部を固定する支持部材と、前記つり合おもりに搭載され、前記かご及びつり合おもりを昇降させる駆動装置とを有し、
前記駆動装置のツナ車が、摩擦係数の高い樹脂で被覆されたことを特徴とするカウンタ自走式エレベータ。
【発明の詳細な説明】
【技術分野】  本発明は、かご及びつり合おもりを昇降させるための駆動装置がつり合おもりに搭載されたカウンタ自走式のエレベータにおいて、機器の構成やローピングを複雑にすることなく、トラクション能力を向上させるカウンタ自走式エレベータに関するものである。
【背景技術】  従来のカウンタ自走式エレベータとしては、特許文献１〜４に示されたものがある。一般に、カウンタ自走式エレベータは、トラクション能力の確保が重要であり、特許文献１に示されたカウンタ自走式エレベータでは、駆動装置のツナ車にロープをフルラップで懸架して、トラクション能力が確保されている。また、特許文献２〜４に示されたカウンタ自走式エレベータでは、転向プーリーによって、ツナ車のロープ巻付角が増やされ、トラクション能力が確保されている。なお、特許文献１は特開平９−１２４２５９号公報、特許文献２は特開平６−２５５９６９号公報、特許文献３は特開平７−１３７９６３号公報、特許文献４は特開平７−１３７９６４号公報とする。
以上のように、これら従来のカウンタ自走式エレベータでは、駆動装置部分の機器構成が複雑になり、当該機器が大きくなったり、それに伴い昇降路のスペースが大きくなったり、コストアップを招く問題があった。また、駆動装置のツナ車にロープをフルラップで懸架したり、転向プーリーを設けてツナ車のロープ巻付角を増やすことにより、ロープの曲げ回数が増えたり、逆曲げ個所が生じ、ロープの寿命が低下するという問題もあった。
【発明の開示】
本発明は、これらの問題を解決するためになされたものであり、機器の構成やローピングを複雑にすることなく、高いトラクショシ能力が得られるカウンタ自走式エレベータを得ることを目的とするものである。
この目的を達成するために、本発明にかかるカウンタ自走式エレベータは、昇降路内を昇降するかご及びつり合おもりと、かご及びつり合おもりが掛けられるロープと、昇降路の頂部に設けられ、ロープが掛けられる返し車と、ロープの各端部が固定される固定部材と、つり合おもりに設けられ、ロープが掛けられ、かご及びつり合おもりを昇降させる駆動装置とを有し、ロープが鋼製ロープに摩擦係数の高い樹脂を被覆した樹脂被覆鋼製ロープであるものである。
【図面の簡単な説明】  図１は、本発明の実施例１のカウンタ自走式エレベータを示す斜視図である。図２は、実施例１のカウンタ自走式エレベータで使用する樹脂被覆鋼製ロープの断面を示す断面図である。図３は、実施例２のカウンタ自走式エレベータで使用する駆動装置７のツナ車の断面図である。
【発明を実施するための最良の形態】  次に、本発明について、以下の通り、実施例を説明する。
【実施例１】  本発明によるカウンタ自走式エレベータの一実施例について、図１を用いて説明する。図１は、本発明の実施例１のカウンタ自走式エレベータを示す斜視図である。
図１において、かご２とつり合おもり３はエレベータ昇降路１内を昇降し、それぞれかご側ガイドレール４とおもり側ガイドレールに５に沿って昇降する。かご２とつり合おもり３は、かご下に設置した吊車１０と昇降路頂部に設置された返し車９を介して、ロープ６により懸架される。なお、当該ロープ６の端部は、それぞれかご側ロープ固定端１１とおもり側ロープ固定端１２で固定される。また、かご２及びつり合おもり３を昇降させる駆動装置７は、つり合おもり３に搭載され、この駆動装置７によりエレベータのかご２は昇降する。さらに、前記ロープ６には、摩擦係数の高い樹脂が被覆されたロープが使用されており、駆動装置７のツナ車８にハーフラップで懸架されている。
次に、本実施例のエレベータで使用されるロープについて、図２を用いて説明する。図２は、本実施例のカウンタ自走式エレベータで使用する樹脂被覆鋼製ロープの断面を示す断面図である。
図２において、本実施例のロープ６は、鋼製ロープ（６ｃ−１）に摩擦係数の高い樹脂（６ｃ−２）を被覆した樹脂被覆鋼製ロープ６ｃである。なお、摩擦係数の高い樹脂としては、例えばウレタンゴムなどの樹脂があり、その摩擦係数は０．２以上であり、鋼製ロープの摩擦係数（０．１）よりも高い。
このように、鋼製ロープに摩擦係数の高い樹脂を被覆してエレベータのロープとして使用するため、ローピングや機器構成を複雑にすることなく、トラクション能力を向上させることができる。
また、摩擦係数の高い樹脂を被覆した樹脂被覆鋼製ロープを用いるため、ロープの曲げ回数が増えることなく、また逆曲げ個所が生じないため、ロープの寿命を低下させることなく、トラクション能力を向上させることができる。
さらに、かごとつり合おもりとを懸架するロープ６として、鋼製ロープを使用するため、乗降時のかごの床浮沈量やフワフワ感を抑えることができる。また、ロープの本数の増加を抑えることができる。例えば、ロープ６としてアラミド繊維のロープを使用する場合には、その特性から、乗降時のかご床浮沈量が大きくなったり、ロープの本数を鋼製ロープより多くすることがあるが、本実施例のように樹脂が被覆された鋼製ロープを使用することにより、乗降時のかご床浮沈量が大きくなったり、ロープの本数を多くする必要もなく、高いトラクション能力が確保される。
また、摩擦係数の高い樹脂を被覆したロープを使用して、駆動部の機器構成やローピングを複雑にすることなく、比較的単純な構造で当該機器を構成するため、省スペースで安価な、トラクション能力の高いカウンタ自走式のエレベータを得ることができる。
【実施例２】  次に、本発明の他の実施例について、図３を用いて説明する。図３は、実施例２のカウンタ自走式エレベータで使用する駆動装置７のツナ車の断面図である。
図３において、本実施例の駆動装置７のツナ車（８ａ−１）は、摩擦係数の高い樹脂（８ａ−２）が被覆された樹脂被覆ツナ車８ａである。なお、摩擦係数の高い樹脂としては、例えばウレタンゴムなどの樹脂があり、その摩擦係数は０．２以上である。また、本実施例において、実施例１と同一又は相当の部分については、その説明を省略し、実施例１と相違する部分について説明した。
このように、駆動装置のツナ車に、摩擦係数の高い樹脂を被覆した樹脂被覆ツナ車を使用するため、ローピングや機器構成を複雑にすることなく、トラクション能力を向上させることができる。
また、摩擦係数の高い樹脂を被覆した樹脂被覆ツナ車を使用してエレベータを構成するため、ロープの曲げ回数が増えたり、逆曲げ個所が生じないため、ロープの寿命を低下させることなく、トラクション能力を向上させることができる。
さらに、摩擦係数の高い樹脂が被覆された樹脂被覆ツナ車を用いることにより、従来のロープを使用することができ、比較的安いコストで、高いトラクション能力が確保されるエレベータを得ることができる。
以上のように、本発明にかかるカウンタ自走式エレベータは、昇降路内を昇降するかご及びつり合おもりと、かご及びつり合おもりが掛けられるロープと、昇降路の頂部に設けられ、ロープが掛けられる返し車と、ロープの各端部が固定される固定部材と、つり合おもりに設けられ、ロープが掛けられ、かご及びつり合おもりを昇降させる駆動装置とを有し、ロープが鋼製ロープに摩擦係数の高い樹脂を被覆した樹脂被覆鋼製ロープであるため、ローピングや機器構成を複雑にすることなく、トラクション能力を向上させることができる。
【図１】
2004080878.tif 000003
【図２】
2004080878.tif 000004
【図３】
2004080878.tif 000005
【国際調査報告】
2004080878.tif 000006
2004080878.tif 000007
2004080878.tif 000008
2004080878.tif 000009